(57)【特許請求の範囲】
【請求項１】
母線（２）と、
前記母線（２）に導体を締め付けるための締付ばね（３）と、
ピン接触子（５）と接触するためのピン接触要素（４）と、
を有する電気接続端子（１６）の締付具（１）において、
前記ピン接触要素（４）が、前記母線（２）と一体形成され、
前記ピン接触要素（４）が、前記母線（２）と略平行に配置され、かつ、接続片（８）によって前記母線（２）に接続されるばねアーム（７）を有し、
挿入された前記導体は前記締付ばね（３）によって前記母線（２）の第１の側面（１９）に締め付けられ、挿入された前記ピン接触子は前記ばねアーム（７）によって前記第１の側面（１９）に対向して位置する前記母線（２）の第２の側面（２０）に締め付けられ、これにより、挿入された前記導体は挿入された前記ピン接触子の隣に直接位置付けすることができ、前記導体および前記ピン接触子は前記母線によってのみ分離され、
前記締付具（１）が、第１のリム（１２）と、前記第１のリム（１２）に対向して位置する第２のリム（１３）とを有するＵ字形の接触ポケット（１０）を備え、前記締付具（１）において、前記第２のリム（１３）が、前記母線（２）を形成し、
前記締付ばね（３）は前記接触ポケット（１０）内に配置され、かつ、前記接触ポケット（１０）は前記締付ばね（３）のための保護収容空間を形成することを特徴とする締付具（１）。
【請求項２】
請求項１に記載の締付具（１）において、前記接続片（８）が可撓性継手であることを特徴とする締付具（１）。
【請求項３】
請求項１または２に記載の締付具（１）において、前記締付ばね（３）が、締付リム（１４）および支持リム（１５）を有し、前記締付ばね（３）が、その支持リム（１５）によって前記接触ポケット（１０）の前記第１のリム（１２）の表面に当接することを特徴とする締付具（１）。
【請求項４】
請求項１乃至３の何れか１項に記載の締付具（１）を含むことを特徴とする電気接続端子（１６）。
【発明の詳細な説明】
【技術分野】
【０００１】
本発明は、電気接続端子の締付具に関する。本発明はさらに、この種類の締付具を含む電気接続端子に関する。
【０００２】
１つまたは複数のピン接触子を有するピンリスト（ｐｉｎ  ｌｉｓｔ）上に取り付けることができる電気接続端子は、接続すべき導体を、ねじを締めることによって固定することができる導体接続領域を有することができる。しかしながら、プラグ接続することができるこれらのねじ込み端子は、剛性導体を直接接続することができないという欠点を有する。さらに、ねじの代わりに締付ばねによって導体が固定される、ばね力端子の場合よりも、作業費用、ひいては導体接続時間が大きい。この場合、締付ばねに加えて、雄ストリップコネクタのピン接触子と接触するためのピン接触要素として接触チューリップを有する接続端子が知られている。しかしながら、既知の接続端子は、例えば独国特許出願公開第１０２００６０１４６４６Ａ１号明細書に記載されるように、締付ばねおよび接触チューリップが通常、一方が他方の下に配置され、これにより所要空間が増えるという欠点を有する。
【０００３】
したがって、本発明は、電気接続端子の全体のサイズを著しく縮小することができる解決策を提供するという目的に基づく。
【０００４】
導入部で詳細に述べた種類の電気接続端子の締付具の場合、この目的は本発明によって、電気接続端子が、母線と、母線に導体を締め付けるための締付ばねと、ピン接触子と接触するためのピン接触要素とを有し、ピン接触要素が、母線と略平行に配置され、かつ、接続片によって母線に接続されるばねアームを有することで達成される。
【０００５】
導入部で詳細に述べた種類の電気接続端子の場合、この目的は本発明によって、請求項１乃至５の何れか１項に記載の締付具を含む電気接続端子により達成される。
【０００６】
本発明の便宜的な改良形態および有利な発展形態を従属クレームに述べる。
【０００７】
本発明による電気接続端子の締付具は、接続端子内で使用され、かつ、締付ばねとピン接触要素とを有する既知の締付具と比較して、寸法が著しく小さく、ひいては、全体のサイズが小さいという点で区別される。本発明による接続端子の場合、接続端子内で接続される導体を、挿入されたピン接触子と平行に位置付けすることができ、接続端子の本発明による設計のため、接触接続を確立するために、挿入された導体およびまたピン接触子の両方は、同じ母線に当接し得る。この場合、挿入された導体は、締付ばねによって母線の第１の側面に締め付けられ、挿入されたピン接触子は、ばねアームによって、第１の側面に対向して位置する、母線の第２の側面に締め付けられるように保持される。その結果、挿入された導体を、挿入されたピン接触子の隣に直接位置付けすることができ、導体およびピン接触子は、母線によってのみ互いに分離される。結果として、導体からピン接触子までの非常に短い電流経路を達成することができ、これにより、電圧降下が低減され、同時に接続端子の全高を低くすることができる。ピン接触子は、ばねアームによって締め付けられるように保持され、ばねアームがピン接触子を母線に押圧するばねにより、ピン接触子は、接続片により母線に直接接続される。この場合、締付具は、正確に１つのばねアームを有することが好ましい。この場合、２つ以上のばねアームを設ける必要はない。母線に対して弾性的に移動することができるばねアームを設けることにより、要件に応じて、母線とばねアームとの距離を調整することができる。結果として、直径が異なるピン接触子を、締め付けるように締付具内に保持することができる。結果として、直径が小さいピン接触子、およびまた直径が大きいピン接触子の両方と確実に接触させることができる。ピン接触子を接続するために、ピン接触子を、母線とばねアームとの間の空き空間にわずかに押し込むことができる。このとき、ピン接触子の直径に応じて、ばねアームは飛び出ることがある。接触状態では、すなわち、ピン接触子が母線に当接するとき、ピン接触子は、その長手方向の側面によって、好ましくは母線の全長にわたって母線に当接する。これにより、ピン接触子と母線との間に特に長い接触領域ができ、その結果、電流を供給するための長い接触線が形成され得る。これにより、ピン接触子にかかるピン接触要素におけるばねアームの接触圧によって生成される単位面積当たりの接触圧が低くても、確実に電流を供給することができる。したがって、ばねアームを備えたピン接触要素の設計のための確実な接触接続には、単位面積当たり、比較的低い接触圧しか要求されないため、ピン接触子の頻繁な挿入および除去によって引き起こされるピン接触子の摩耗を著しく低減することができる。さらに、接続端子は、接続ピンおよび導体の挿入方向、ならびにまた、導体を除去するための操作方向が同じであるという点で区別される。
【０００８】
接続端子の好ましい改良形態によれば、接続片は可撓性継手である。ばねアームが、挿入および接続すべきピン接触子のサイズと一致するように、特に可撓性を有して構成され得るために、可撓性継手によって、ばねアームのばね作用を改善することができる。この場合、接続片、すなわち可撓性継手は、ばねアームを母線に接続するために、ばねアームの自由端および母線の自由端に配置される略半円の金属ストリップから形成されることが好ましい。
【０００９】
さらに、母線と一体形成されるピン接触要素を設けることが好ましいため、ピン接触要素および母線は、同じ材料から形成される。したがって、接続片およびばねアームは、母線のように、導電性金属から形成されることが好ましく、その結果、比較的高い、供給可能な電流強度を達成することができる。
【００１０】
締付具のさらに有利な改良により、本発明によれば、第１のリムと、第１のリムに対向して位置する第２のリムとを有するＵ字形の接触ポケットを備え、第２のリムが、母線を形成する締付具を設ける。接触ポケットは、締付ばねのための保護収容空間を形成し、同時に、母線と、母線がピン接触要素と一体形成される場合は、ピン接触要素とを設ける。結果として、特に小型の締付具、ひいてはまた、特に小型の接続端子を提供することができる。さらに、必要な構成要素の数を削減することができ、個々の構成要素が滑らないように、固定フレーム内に互いに対して配置することができる。締付ポケットは、全体を導電性金属から形成することが好ましく、接続端子の絶縁材料筐体内に位置付けすることができる。
【００１１】
さらに、締付リムおよび支持リムを有し、締付ばねが、その支持リムによって接触ポケットの第１のリムの表面に当接する締付ばねを設けることが好ましい。締付ばねが、その支持リムによって接触ポケットの第１のリムの表面に当接するために、締付ばねは、接触ポケット内に確実に位置付けされる。したがって、特に締付ばねの望ましくない滑りを防ぐことができる。さらに結果として、締付ばねの締付力を増加させることができる。
【００１２】
以下、添付図面を参照し、好ましい実施形態を用いて、本発明をより詳細に説明する。
【図面の簡単な説明】
【００１３】
【図１】図１は、本発明による締付具の概略図を示す。
【図２】図２は、本発明による電気接続端子の概略図を示す。
【００１４】
図１は、本発明の一実施形態による締付具１を示す。図２に示すように、締付具１は、母線２と、導体（ここでは図示せず）を母線２に締め付けるための締付ばね３と、雄ストリップコネクタ６のピン接触子５と接触するためのピン接触要素４とを有する。
【００１５】
ピン接触要素４は、母線２と略平行に配置され、かつ、接続片８によって母線２に接続されるばねアーム７を有する。ばねアーム７は、金属ストリップから形成され、前記金属ストリップの長手方向の側面は、母線２の長手方向の側面に対向して位置する。ばねアーム７と母線２との間に収容空間９が形成され、図２に示すように、ピン接触子５を前記収容空間へ挿入することができる。使用しない状態では、すなわち、ピン接触子５が挿入されない場合、収容空間９は、接触すべきピン接触子５の直径より小さいことが好ましい。ピン接触子５が収容空間９へ挿入されると、ばねアーム７は、結果としてばね力に抗して、母線２から遠ざかるように、外側に押されるため、ばねアーム７はピン接触子５に締付力を加えることができる。収容空間９へ挿入されたピン接触子５は、結果としてばねアーム７によって母線２に押し付けられる。そのため、ピン接触子５は、母線２の全長にわたる母線２の表面に当接することが好ましく、そのため、可能な限り大きい接触領域がピン接触子５と母線２との間に形成される。ばねアーム７は、母線２の長さの約２／３にわたって延在することが好ましい。ばねアーム７はまた、接続片８によって母線２に一体的に接続されるため、ばねアーム７および接続片８は、母線２と同じ材料、すなわち導電性金属から形成されることが好ましい。接続片８は、略半円になるように曲げられ、かつ、ばねアーム７と同じ幅を有する金属ストリップから形成される可撓性継手である。接続片８は、ばねアーム７を母線２に接続するために、ばねアーム７の自由端および母線２の自由端に配置される。ばねアーム７と母線２との距離は、例えば、母線２から遠ざかるように移動されるばねアーム７によって可撓性継手の形をしている接続片８によって変更することができる。その結果、ピン接触子５が母線２と接触するように、非常に広範囲の直径を備えたピン接触子５を、ばねアーム７によって確実に保持することができる。
【００１６】
締付具１はまた、導電性金属から形成されるＵ字形の接触ポケット１０を有する。接触ポケット１０は、ベースプレート１１と、ベースプレート１１から直角に曲げることが好ましい第１の第１のリム１２と、ベースプレート１１から直角に曲げることが好ましい第２のリム１３とから形成される。第１のリム１２は、第２のリム１３に対向して形成される。本実施形態では、第２のリム１３は母線２を直接形成するため、さらに母線２の形である構成要素はもはや必要ない。脚ばねの形であり、かつ、接触リム１４および支持リム１５を有する締付ばね３は、その支持リム１５によって締付ばね３が接触ポケット１０の第１のリム１２の表面に当接するように、接触ポケット１０内に配置される。接触ポケット１０は、ベースプレート１１と、第１のリム１２と、第２のリム１３とによって画定される内部空間を形成する。締付ばね３は、この内部空間内に配置される。対照的に、ピン接触要素４は、そのばねアーム７および接続片８によって、接触ポケット１０の内部空間の外側に配置され、ピン接触要素４が、母線２の形である第２のリム１３によって、接触ポケット１０に、好ましくは一体的に、直接接続される。挿入された導体は、締付ばね３の締付リム１４によって、母線２に当接して、母線２に締め付けられるように保持される。
【００１７】
図２は、図１に示すような締付具１を有する電気接続端子１６を示し、締付具１は、接続端子１６の絶縁材料筐体１７内に配置される。図２はまた、複数のピン接触子５を有する雄ストリップコネクタ６を示し、電気接続端子１６は、ピン接触子５と接触するために、その絶縁材料筐体１７によって、雄ストリップコネクタ６上に取り付けられ、その結果、ピン接触子５は各々、母線２とばねアーム７との間に形成される収容空間９内に締め付けられるように保持され、各々は母線２と接触する。締め付けるべき導体は、絶縁材料筐体１７内に形成される導体挿入口１８によって、締付ばね３、特に締付ばね３の締付リム１４と、母線２との間の領域内の締付具１へ挿入され、母線２に締め付けられるように保持される。したがって、挿入された導体は、締付具１内にピン接触子５と平行に位置付けされ、挿入された導体およびピン接触子５の両方は、接触接続を形成するために、全く同一の母線２に当接する。この場合、挿入された導体は、締付ばね３によって、母線２の第１の側面１９に締め付けられ、挿入されたピン接触子５は、ばねアーム７によって、第１の側面１９に対向して位置する母線２の第２の側面２０に締め付けられるように保持される。結果として、挿入された導体は、挿入されたピン接触子５の隣に直接位置付けすることができ、導体およびピン接触子５は、母線２によってのみ互いに分離される。導体を締付具１から除去するために、接続端子１６は、ツールによって操作することができ、かつ、中に締め付けられた導体を解放するために、締付ばね３の接触リム１４を支持リム１５の方向に押すことができるトリガの形の操作要素２１を有する。
【００１８】
図２に示した接続端子１６は、絶縁材料筐体１７内に形成される３つのユニットを有し、各ユニットは、導体挿入口１８と、操作要素１２と、締付具１とを有することができるため、各場合において、１つの導体を、各ユニットによって、雄ストリップコネクタ６のピン接触子５に接触させて接続させることができる。
【符号の説明】
【００１９】
１  締付具
２  母線
３  締付ばね
４  ピン接触要素
５  ピン接触子
６  雄ストリップコネクタ
７  ばねアーム
８  接続片
９  収容空間
１０  接触ポケット
１１  ベースプレート
１２  第１のリム
１３  第２のリム
１４  締付リム
１５  支持リム
１６  電気接続ユニット
１７  絶縁材料筐体
１８  導体挿入口
１９  第１の側面
２０  第２の側面
２１  操作要素
【図１】
0005739585.tif 000002
【図２】
0005739585.tif 000003